【事件の表示】
　特願２００５−１９０５０５「焦点調節方法及び装置」拒絶査定不服審判事件〔平成１９年　１月１８日出願公開、特開２００７−　１０９０８〕について、次のとおり審決する。
【結　論】
　本件審判の請求は、成り立たない。
【理　由】
第１　手続の経緯
　本願は、平成１７年（２００５年）６月２９日に出願された特願２００５−１９０５０５号であって、平成２０年１１月２８日付けで拒絶査定がなされ、これに対し平成２１年１月５日に拒絶査定不服審判の請求がなされ、同年２月４日付けで手続補正がなされた。
　その後、当審において平成２２年１０月１９日付けで、平成２１年２月４付けの手続補正に対して補正の却下の決定をするとともに、同日付けで拒絶理由の通知をし、これに対して同年１２月１６日付けで意見書が提出され、同日付けで手続補正がなされた。
　
第２　本願発明  
　本願の請求項１に係る発明（以下、「本願発明」という。）は、平成２２年１２月１６日付け手続補正により補正された特許請求の範囲の請求項１に記載された事項により特定される次のとおりのものである。
　
「フォーカスレンズの位置を移動させながら被写体の画像信号を複数撮像し、複数箇所に設定されたＡＦ領域における当該画像信号に基づいて合焦の度合いを表すＡＦ評価値を取得して当該ＡＦ評価値が極大となるフォーカスレンズの位置へ合焦制御する焦点調節方法であって、
　前記フォーカスレンズが移動している最中に、２次元に配列された複数の画素を部分単位毎に順次走査して当該部分単位毎に蓄積開始及び読み出し終了のタイミングが異なる各画素の画像信号を出力する撮像ステップと、
　前記フォーカスレンズの位置及び当該フォーカスレンズの位置を取得した時刻を基準として、前記各ＡＦ領域における蓄積開始及び読み出し終了時刻と前記フォーカスレンズの移動速度とに基づいて、前記複数の画素から部分単位毎に順次画像信号が読み出される場合の前記ＡＦ領域のそれぞれにおける露光中心時刻に対応する前記フォーカスレンズの位置を演算する演算ステップとを有し、
　前記演算ステップにより得られた前記フォーカスレンズの位置と対応付けられた前記ＡＦ領域におけるＡＦ評価値とに基づいて合焦制御することを特徴とする焦点調節方法。」
　
第３　引用例
１　引用例１
　当審が通知した拒絶の理由に引用された、本願の出願前に頒布された刊行物である特開２００４−１４０４７９号公報（以下、「引用例１」という）には、次の事項が記載されている。（下記「２　引用例１に記載された発明の認定」において直接引用した記載に下線を付した。）
　
「【０００１】 
【発明の属する技術分野】 
本発明は、２次元画素アレイの順次走査によって各画素のシャッタ動作及び読み出し動作を行うＣＭＯＳ型イメージセンサ等の固体撮像装置、並びにその固体撮像装置を用いたカメラ装置、及びそれらの制御方法に関する。
【０００２】 
【従来の技術】 
従来より、
ＣＭＯＳ型イメージセンサの撮像動作は、いわゆるローリングシャッタ（フォーカルプレインシャッタ）により２次元画素アレイを画像行（または画素列）単位で走査して各画素のシャッタ動作を行い、その後、一定の露光時間を経て再度２次元画素アレイを画像行（または画素列）単位で走査し、各画素の信号を読み出すような動作となる
また、動画の撮像時においては、このようなシャッタ動作と読み出し動作を１フレーム周期（通常は１／３０秒）毎に行う。なお、１フレーム期間とは、完成された映像の１フレームが出力されるためにかかる期間をいう。
【０００３】 
【特許文献１】 
 特開平１０−４１４９３号公報 
【０００４】 
図１３は、このような従来の動画撮像動作を示す説明図であり、横軸は時間、縦軸は０からＮまでの画素行を示している。そして、斜めの破線４０２がシャッタ行の走査位置、斜めの実線４０１が読み出し行の走査位置を示している。また、破線４０２と実線４０１の間の間隔４０３が露光時間である。
シャッタ行で各画素のシャッタ動作を行い、各画素信号をリセットした後、露光時間４０３を経て読み出し動作を行うことにより、各画素信号を読み出すようになっている。 
 そして、画素行０から画素行Ｎまでの１回の走査で、ちょうど１フレーム期間４０４が経過するような同期速度で走査を行い、所定のフレームレートによって各画素信号の出力動作を行う。
なお、このような動作で２次元画素アレイから読み出された画素信号は、ノイズ除去、利得制御、Ａ／Ｄ変換等の処理を経て、後段の信号処理回路（ＤＳＰ等）に入力され、カラー信号処理、利得調整、ホワイトバランス等の処理を施された後、画像出力機器に出力される。
図１４は、図１３に示す動作によって読み出される１つの画素（例えば固体撮像素子の中央に位置する画素）の信号波形を示す説明図であり、横軸は時間、縦軸は信号レベルを示している。
図中のシャッタ行タイミング５０３で、それまでの蓄積電荷（廃棄電荷５０２）が廃棄され、ここから信号として用いる電荷の蓄積が開始される。そして、読み出し行タイミング５０４において、それまでの露光時間５０５の間に蓄積された信号電荷（読み出し電荷５０１）が読み出される。この後、シャッタ行タイミング５０３までが廃棄電荷５０２の蓄積動作となる。
このようにして、１フレーム期間５０６の間に１回の読み出し動作が実行される。 
【０００５】 
【発明が解決しようとする課題】
 しかしながら、上述のようなローリングシャッタ（フォーカルプレインシャッタ）を用いたシステムでは、先頭の画素行を撮像するタイミングと最後の画素行を撮像するタイミングとが、１フレーム分の時間差を有することになるため、動いている被写体に対し、画像が変形するという欠点がある。
【０００６】 
また、
上述のようなシステムにおいて、コントラスト検出方式による自動焦点調節（オートフォーカス；ＡＦ）機能を設けたものが知られている。これは、実際に測距フレーム用の画像を撮像し、隣接画素間のばらつき（差分）から画像のコントラストを検出してＡＦに利用するようにしたものである。
これは、有効画像から測距フレームに相当する部分を切り出してＡＦのコントラスト検出に使用する方式であるため、図１３及び図１４に示した従来例の動作では、有効画像のフレームレートと同じフレームレートの測距フレーム画像を得る必要があり、この動作に時間がかかるためである。
例えば、通常のビデオカメラでは映像のフレームレートは６０fps であり、固体撮像素子の出力も、ほぼ６０fps であり、測距フレームのデータも同様に１秒間に６０枚程度しか得られない。」 
　
「【図１３】（カメラシステムにおける露光制御方式の画素行の時間的変化を示す説明図）
　
 　　　　　　　　　　　　　　　　　　　　　　　　　　　　　　　　　」 
 　 
２　引用例１に記載された発明の認定 
　【図１３】から、各画素行毎に蓄積開始及び読み出し終了のタイミングが異なっているといえるから、引用例１には、
「いわゆるローリングシャッタにより２次元画素アレイを画像行単位で走査して各画素のシャッタ動作を行い、その後、一定の露光時間を経て再度２次元画素アレイを画像行単位で走査し、各画素行毎に蓄積開始及び読み出し終了のタイミングが異なっている各画素の信号を読み出すような動作となるＣＭＯＳ型イメージセンサの撮像動作のシステムを備えた撮像装置によりなされる自動焦点調節（オートフォーカス；ＡＦ）方法であって、
　実際に測距フレーム用の画像を撮像し、隣接画素間のばらつきから画像のコントラストを検出してＡＦに利用するようにしたコントラスト検出方式による自動焦点調節（オートフォーカス；ＡＦ）方法。」の発明（以下「引用発明」という。）が記載されている。
　
３　引用例２
　当審が通知した拒絶の理由に引用された、本願の出願前に頒布された刊行物である特開平９−２００５９７号公報（以下、「引用例２」という）には、次の事項が記載されている。（下記「第４　対比・判断」の「４　判断」において、特に着目すべき記載に下線を付した。）
　
「【０００１】 
【発明の属する技術分野】本発明は撮像レンズを駆動して自動的に合焦点検出を行う自動焦点検出装置に関するものである。
【０００２】 
【従来の技術】従来、自動合焦方式の１つとして、撮像素子を用いる撮像装置において、合焦用レンズ（或いは撮像レンズ）を繰り出し、または繰り込むときの映像信号に基づき、その合焦度合いを示す被写体のコントラスト情報（コントラスト値）を得て、その値が最大となる位置（最大コントラスト位置）を合焦位置と判断して、その位置に合焦用レンズを駆動する方式のものがあった。」
　
「【００１９】本実施の形態では、垂直同期信号ＶＤ，水平同期信号ＨＤは演算処理回路１０の割り込み端子に印加され、ＡＦ，ＡＥ，ＷＢ等の処理に利用される。かつ、演算処理回路１０は合焦判別手段や撮像レンズ２のレンズ位置の管理を行い、更に、合焦位置検出処理に加えて、ＡＦ動作時にモータドライブ回路８を介して合焦用モータ７をステップ駆動し、撮像レンズ２を所定の位置に移動せしめる制御手段、ＡＥによる撮像素子３の蓄積積分時間を可変（以下、素子シャッタと略記）する手段を内蔵している。
【００２０】以下に説明するように本実施の形態では、
ＡＦ動作時に（撮像レンズ駆動装置を構成するモータ７に駆動パルスを印加して）撮像レンズ２を光軸Ｏ方向にステップ駆動し、その駆動中における撮像信号からコントラスト値を生成する。そしてそのコントラスト値に対応するレンズ位置を、撮像素子３の蓄積積分期間に撮像レンズ２を駆動した駆動量（具体的にはステップ数）の中心（但し、等速で駆動した場合）等とすることにより、コントラスト値を生成するまで、レンズ駆動を停止させることを不要にして、短時間に合焦点検出を行うことができるようにしている。
【００２１】自動焦点検出装置に対して相対的に被写体を固定（静止）させ、明るさが一定の条件下で撮像レンズ２を光軸方向にある距離離れた２つの撮像レンズ位置（単にレンズ位置と略記）ｄ１，ｄ２でコントラスト値を取得した結果を図２に示す。その結果、レンズ位置ｄ１でコントラスト値Ｃ１，レンズ位置ｄ２でコントラスト値Ｃ２となった（シャッタ速度を１／６０秒に固定し、かつ、１フィールドの映像期間に相当する１ＶＤ期間が１／６０秒とする）。
【００２２】さらに、この条件下で２つのレンズ位置ｄ１，ｄ２間を等速度で撮像レンズ２を駆動させた（２つのレンズ位置ｄ１，ｄ２間を１／６０秒で撮像レンズ２を駆動する）場合、得られるコントラスト値は略（Ｃ１＋Ｃ２）／２であり、このコントラスト値に対応するレンズ位置は略（ｄ１＋ｄ２）／２であることは実験で求められる。
【００２３】上記撮像レンズ２を駆動した場合におけるコントラスト値及びレンズ位置の関係を利用することにより、本実施の形態ではＡＦ処理を実施する場合は、撮像素子３に蓄積積分される間に駆動したステップ数の略中心を合焦処理に利用するステップ数とする。
【００２４】換言すると、上記コントラスト値及びレンズ位置の関係を利用することにより、撮像レンズ２を駆動中にもＡＦ処理のコントラスト値及びそのコントラスト値に対応するレンズ位置を得られるようにして、従来例におけるＡＦ処理のコントラスト値を得るまでは撮像レンズの駆動を停止させることを不要として、短時間或いは高速に合焦点の検出を行えるようにしている。
【００２５】
より具体的には撮像レンズ２を駆動し、その駆動中における撮像素子３で蓄積積分されて出力された撮像信号における高周波成分の出力値（つまりコントラスト値）からその蓄積積分時間で駆動（移動）した撮像レンズ２のレンズ移動量の中心位置等をそのコントラスト値に対応するレンズ位置とすることを特徴とする。
【００２６】図３において、（Ａ）は垂直同期信号ＶＤ，（Ｂ）はレンズ駆動パルス（ステップ数）を示し、（Ｃ）は各フィールドｎ，ｎ＋１，ｎ＋２の蓄積積分時間を示し、（Ｄ）は各蓄積積分時間の中心を示している。また、撮像素子３の撮像エリア或いは光電変換エリアの全域を合焦点検出に利用する場合で説明する。
【００２７】また、簡単化のため撮像同期信号は、映像信号の同期信号と一致させている。つまり、映像信号の垂直同期信号ＶＤと同期させて撮像素子３に蓄積積分された撮像信号を読み出す撮像素子駆動信号を印加し、各フィールドの撮像信号を出力させ、その撮像信号から映像信号を生成するとしている。
【００２８】この図３に示すように各露光時間或いは蓄積積分時間を１／６０秒にした場合、ｎフィールド目の映像信号から得られたコントラスト値は５或いは６パルス目（に対応するレンズ位置）に得られたとして合焦点検出の動作を行う。
【００２９】同様にｎ＋１フィールド目の映像信号から得られたコントラスト値は１２パルス目、ｎ＋２の映像信号から得られたコントラスト値は１９パルス目として利用すれば良い。よって、撮像素子３に蓄積積分される間に駆動したパルス（ステップ）数の略中心のステップ数を利用することで映像信号を生成する同期信号（この場合ＶＤ）或いは撮像同期信号に同期して撮像レンズ２を駆動させなくともＡＦ動作が可能となる。
【００３０】つまり、図３（Ａ），（Ｂ）に示すように本実施の形態では、撮像レンズ２を駆動するモータ７に与えるレンズ駆動パルスを撮像を行う同期信号とは非同期であって、この同期信号とは独立に発生させるようにして、同期信号と同期を取るための待ち時間を不必要として、レンズ駆動を高速に行う（或いはレンズ駆動時間を多くとれる）ようにしている。もっとも、図３では蓄積積分時間の中心に対応するレンズ駆動パルスの位置或いはこのレンズ駆動パルスの位置に対応するレンズ位置を検出する手段を有する。」
　
「【００４０】また、
図５（Ａ）に示す１つのＡＦエリア１２ではなく、垂直方向に複数設定しても良い。例えば図５（Ｂ）のように垂直方向に少しづつ離間してＡＦエリア１２Ａ，１２Ｂ，１２Ｃと３つのＡＦエリアを設定し、
【００４１】このように垂直方向に複数のＡＦエリア１２Ａ，１２Ｂ，１２Ｃを設定した場合、本実施の形態では以下にも述べるように各ＡＦエリア１２Ａ，１２Ｂ，１２Ｃのコントラスト値に対応するレンズ位置はそれぞれ異なる（各ＡＦエリア１２Ａ，１２Ｂ，１２Ｃの垂直方向の中心位置はそれぞれ異なるため）。
【００４２】更に、
図５（Ｃ）に示すように境界が接するように垂直方向にＡＦエリア１２Ａ，１２Ｂ，１２Ｃを設定した場合、各ＡＦエリアでそれぞれ得られるコントラスト値と、その値に対応したステップ数（より正確にはステップ数に対応するレンズ位置）が異なる。
【００４３】図６の被写体を撮影した場合、従来方式では、各ＡＦエリア１２Ａ，１２Ｂ，１２Ｃのコントラスト値に対して、同じレンズ位置として扱われていたため、縦軸をコントラスト値、横軸をレンズ位置とした場合、図７（Ｂ）に示すようなグラフとなり、合焦位置（各コントラストの最大位置）を略ｄ８と認識し、真の合焦位置よりずれてしまう恐れがあった。
【００４４】これに対して、本実施の形態により
撮像エリア１１内の各ＡＦエリア１２Ａ，１２Ｂ，１２Ｃのコントラスト値に対応するレンズ位置として各ＡＦエリア１２Ａ，１２Ｂ，１２Ｃの垂直方向の略中心のステップ数に対応するレンズ位置とすれば、
 【００４５】ここで、第１の具体例として各エリアの合焦位置（コントラストの最大位置）ｄ８，ｄ９，ｄ１０の平均位置｛（ｄ８＋ｄ９＋ｄ１０）／３｝を真の合焦位置と制御すれば従来方式より精度良くＡＦが行える。
【００４６】第２の具体例として、各エリアから得られたコントラスト値の最大値の両端２点のコントラスト値の差が最小であるエリアのコントラスト値の最大値を示したレンズ位置（図７（Ａ）ではＡＦエリア１２Ｃのｄ９）へ制御する、あるいは、その最大値が得られた撮像レンズ位置の重み付けを大きくして第１の具体例と同様の演算を行う（例えば合焦位置予測＝｛（ｄ８＋ｄ９×２＋ｄ１０）／４｝）。
【００４７】その他の手段として、各ＡＦエリア１２Ａ，１２Ｂ，１２Ｃの中でコントラスト値が最大を指すＡＦエリアを選択して、その最大値を示すレンズ位置へ撮像レンズ２を駆動する等が考えられる。」
　
「【図３】（撮像レンズをステップ駆動した場合の蓄積積分時間の中心のステップ位置を合焦に利用する例を示す図）
　　　　　　　　　　　　　　　　　　　　　　　　　　　　　　　　」
　
「【図５】（撮像エリア内に設定した合焦点検出のためのＡＦエリアの具体例を示す図）
　
　　　　　　　　　　　　　　　　　　　　　　　　　　　　　　　　」
　
 第４　対比・判断 
 １　本願発明と引用発明を対比する。
　
（１）引用発明における「コントラスト検出方式による自動焦点調節（オートフォーカス；ＡＦ）方法」は、技術常識を踏まえると「フォーカスレンズの位置を移動させながら被写体の画像信号を複数撮像し」、「ＡＦ領域における当該画像信号に基づいて合焦の度合いを表すＡＦ評価値を取得」するとともに、当該ＡＦ評価値とフォーカスレンズ位置を対応付け、「当該ＡＦ評価値が極大となるフォーカスレンズの位置へ合焦制御する焦点調節方法」であるといえる。すなわち、引用発明の「コントラスト検出方式による自動焦点調節（オートフォーカス；ＡＦ）方法」と、本願発明の「フォーカスレンズの位置を移動させながら被写体の画像信号を複数撮像し、複数箇所に設定されたＡＦ領域における当該画像信号に基づいて合焦の度合いを表すＡＦ評価値を取得して当該ＡＦ評価値が極大となるフォーカスレンズの位置へ合焦制御する焦点調節方法」とは、「フォーカスレンズの位置を移動させながら被写体の画像信号を複数撮像し、ＡＦ領域における当該画像信号に基づいて合焦の度合いを表すＡＦ評価値を取得して当該ＡＦ評価値が極大となるフォーカスレンズの位置へ合焦制御する焦点調節方法」である点で一致する。
　
（２）引用発明の「いわゆるローリングシャッタにより２次元画素アレイを画像行単位で走査して各画素のシャッタ動作を行い、その後、一定の露光時間を経て再度２次元画素アレイを画像行単位で走査し、各画素行毎に蓄積開始及び読み出し終了のタイミングが異なっている各画素の信号を読み出すような動作」が、本願発明の「前記フォーカスレンズが移動している最中に、２次元に配列された複数の画素を部分単位毎に順次走査して当該部分単位毎に蓄積開始及び読み出し終了のタイミングが異なる各画素の画像信号を出力する」こと（動作）に相当する。よって、引用発明の「コントラスト検出方式による自動焦点調節（オートフォーカス；ＡＦ）方法」が、本願発明の「前記フォーカスレンズが移動している最中に、２次元に配列された複数の画素を部分単位毎に順次走査して当該部分単位毎に蓄積開始及び読み出し終了のタイミングが異なる各画素の画像信号を出力する撮像ステップ」を有することは明らかである。
　
（３）上記の（１）で述べたように、引用発明の「コントラスト検出方式による自動焦点調節（オートフォーカス；ＡＦ）方法」は、「ＡＦ領域における当該画像信号に基づいて合焦の度合いを表すＡＦ評価値を取得」するとともに、当該ＡＦ評価値とフォーカスレンズ位置を対応付けるものであることから、引用発明の「コントラスト検出方式による自動焦点調節（オートフォーカス；ＡＦ）方法」と、本願発明の「前記複数の画素から部分単位毎に順次画像信号が読み出される場合の前記ＡＦ領域のそれぞれにおける露光中心時刻に対応する前記フォーカスレンズの位置を演算する演算ステップ」を有する方法（こと）とは、「前記複数の画素から部分単位毎に順次画像信号が読み出される場合の（前記ＡＦ評価値を取得した）前記ＡＦ領域に対応する前記フォーカスレンズの位置を得るステップとを有する」方法である点で一致する。
　
（４）上記の（１）で述べたように、引用発明の「コントラスト検出方式による自動焦点調節（オートフォーカス；ＡＦ）方法」は、「ＡＦ領域における当該画像信号に基づいて合焦の度合いを表すＡＦ評価値を取得」するとともに、当該ＡＦ評価値とフォーカスレンズ位置を対応付け、「当該ＡＦ評価値が極大となるフォーカスレンズの位置へ合焦制御する」ものであるから、引用発明の「コントラスト検出方式による自動焦点調節（オートフォーカス；ＡＦ）方法」が、本願発明の「前記（演算）ステップにより得られた前記フォーカスレンズの位置と対応付けられた前記ＡＦ領域におけるＡＦ評価値とに基づいて合焦制御すること」を含むものであることは明らかである。
　
２　一致点
　よって、本願発明と引用発明とは、 
　
「フォーカスレンズの位置を移動させながら被写体の画像信号を複数撮像し、ＡＦ領域における当該画像信号に基づいて合焦の度合いを表すＡＦ評価値を取得して当該ＡＦ評価値が極大となるフォーカスレンズの位置へ合焦制御する焦点調節方法であって、 
　前記フォーカスレンズが移動している最中に、２次元に配列された複数の画素を部分単位毎に順次走査して当該部分単位毎に蓄積開始及び読み出し終了のタイミングが異なる各画素の画像信号を出力する撮像ステップと、
　前記複数の画素から部分単位毎に順次画像信号が読み出される場合の（前記ＡＦ評価値を取得した）前記ＡＦ領域に対応する前記フォーカスレンズの位置を得るステップとを有し、
　前記ステップにより得られた前記フォーカスレンズの位置と対応付けられた前記ＡＦ領域におけるＡＦ評価値とに基づいて合焦制御する焦点調節方法。」
の発明である点で一致し、次の点で相違する。
　
３　相違点
　本願発明は、「ＡＦ領域を複数箇所に設定」し、ＡＦ評価値を取得した各ＡＦ領域に対応して「前記フォーカスレンズの位置及び当該フォーカスレンズの位置を取得した時刻を基準として」、「前記各ＡＦ領域における蓄積開始及び読み出し終了時刻と前記フォーカスレンズの移動速度とに基づいて」、「前記ＡＦ領域のそれぞれにおける露光中心時刻に対応する前記フォーカスレンズの位置」を「演算」して得るものであるのに対して、引用発明においてはそのような限定がなされていない点。 
 　 
 ４　判断 
 （１）上記相違点について検討する。 
　引用例２には、被写体のコントラスト情報（コントラスト値）を得て、その値が最大となる位置（最大コントラスト位置）を合焦位置と判断して、その位置に合焦用レンズを駆動する自動合焦方式において、ＡＦエリアを「ＡＦエリア１２Ａ，１２Ｂ，１２Ｃと３つのＡＦエリアを設定し」、「各ＡＦエリア１２Ａ，１２Ｂ，１２Ｃのコントラスト値に対応するレンズ位置として各ＡＦエリア１２Ａ，１２Ｂ，１２Ｃの垂直方向の略中心のステップ数に対応するレンズ位置と」すること、すなわち「撮像素子３の蓄積積分期間に撮像レンズ２を駆動した駆動量（具体的にはステップ数）の中心（但し、等速で駆動した場合）とすること」ことが記載されている。
　したがって、引用例２には、「ＡＦ領域を複数箇所に設定」し、ＡＦ評価値を取得した各ＡＦ領域に対応するフォーカスレンズの位置を、「前記ＡＦ領域のそれぞれにおける露光中心時刻に対応する前記フォーカスレンズの位置」として「演算」して得ることが記載されている。
　引用発明において、引用例２に記載された技術事項を採用することは当業者が容易に想到し得ることである。
　そして、「前記ＡＦ領域のそれぞれにおける露光中心時刻に対応する前記フォーカスレンズの位置」を「演算」して得る際に、どのレンズ位置及び当該レンズ位置を取得した時刻を基準として演算して上記位置を得るかは、当業者が必要に応じて適宜設定し得ることであるから、「前記フォーカスレンズの位置及び当該フォーカスレンズの位置を取得した時刻を基準として」「（演算して）得る」ようにすることに格別の困難性は認められない。
　さらに、上記の「（演算して）得る」ための具体的手法については、当業者が必要に応じて適宜設定し得る設計的事項に過ぎないものであるところ、積分時間（露光時間）とフォーカスレンズの駆動速度に基づいて得ることについても、例えば、特開２００４−２７９７２１号公報（【００１１】段落参照）にも記載されているように周知の技術であり、引用例２のように（駆動モータの）ステップ数から得るか、上記周知技術のように積分時間（露光時間）とフォーカスレンズの駆動速度に基づいて得るかは、当業者が必要に応じて適宜選択し得る等価な周知技術であるといえるから、引用発明に引用例２に記載された技術を適用した際に、引用例２における「（駆動モータの）ステップ数から求める」ことに換えて「積分時間（露光時間）とフォーカスレンズの駆動速度に基づいて」（演算して）得る、すなわち、「前記各ＡＦ領域における蓄積開始及び読み出し終了時刻と前記フォーカスレンズの移動速度とに基づいて」（演算して）得るとすることに格別の困難性はない。
　以上のとおりであるから、引用発明に引用例２に記載された発明を適用して、上記相違点に係る本願発明の発明特定事項を得ることは当業者が容易になし得たことである。
　
（２）そして、本願発明によってもたらされる効果は、引用発明及び引用例２に記載された技術事項から当業者が予測し得る程度のものである。
　この点、平成２２年１２月１６日付けの意見書において、請求人は、
「本願発明では、フォーカスレンズの移動速度とＡＦ領域から、予めＡＦ領域のそれぞれにおける露光中心時刻に対応するフォーカスレンズの位置を演算でき、また、フォーカスレンズの移動速度に基づいて、ＡＦ領域のそれぞれにおける露光中心時刻に対応する前記フォーカスレンズの位置を演算によって求めるので、たとえフォーカスレンズの移動速度が変化したとしても適切に対応できるという効果がありますが、引用例２ではその様な効果は奏し得ません。」
と主張するが、「フォーカスレンズの移動速度が変化した」場合のことは、特許請求の範囲の請求項にも、また、明細書の発明の詳細な説明にも記載されていない。よって、上記主張は、請求項の記載に基く主張ではなく、さらには、明細書の発明の詳細な説明に基く主張でもないから、採用することができない。
　
（３）したがって、本願発明は、引用発明及び及び引用例２に記載された技術事項に基いて当業者が容易に発明することができたものであり、特許法第２９条第２項の規定により特許を受けることができない。  
　
第５　むすび
　以上より、本願の請求項１に係る発明は、引用発明及び引用例２に記載された発明に基いて当業者が容易に発明をすることができたものであるから、特許法第２９条第２項の規定により特許を受けることができない。
　したがって、その余の請求項に係る発明について論及するまでもなく、本願は拒絶すべきものである。
　
　よって、結論のとおり審決する。